(57)【要約】【課題】所望の映像シーンを煩わしい操作を行わず直接的に読み出し再生させることが可能な映像再生方法の提供。【解決手段】ＤＶＤ１などの映像データや音声データ，音楽データなど格納する記憶媒体より、チャプター画面１０に一纏まりの細ストーリーの映像シーン毎の要約文１０ａをその映像シーンを代表するスチル写真１０ｂを付して表示し、鑑賞したい所望の映像シーンのアウトラインを要約文１０ａとスチル写真１０ｂとでユーザーに理解せしめた上で選択可能とし、所望する映像シーンを直接的に読み出し再生する。【選択図】  図２
2004289761.tif 000002
【特許請求の範囲】
【請求項１】
映画などを収録したＤＶＤなどのように映像データや音声データ，音楽データなど格納する記憶媒体より、ユーザーの所望する映像シ
ーンを読み出し再生する映像再生方法において、
一纏まりのストーリーの映像シーンをチャプター毎に通し番号を付して区分し、チャプター画面であるメニュー画面に、一纏まりの細ストーリーの映像シーン毎の要約文をその映像シーンを代表するスチル写真を付して表示し、鑑賞したい所望の映像シーンのアウトラインを要約文とスチル写真とでユーザーに理解せしめた上で選択可能とし、所望する映像シーンを直接的に読み出し再生
可能に指令することを特徴とする映像再生方法。
【請求項２】
スチル写真は、必要に応じて音声データや音楽データを流しながら表示させることを特徴とする請求項１記載の映像再生方法。
【発明の詳細な説明】
【０００１】
【発明の属する技術分野】
この発明は、所望の映像シーンを煩わしい操作を行わず直接的に読み出し再生させることが可能な映像再生方法に関するものである。
【従来の技術】
【０００２】
周知のように、映像データや音声データ・音楽データなど各種のデータをディジタルデータに変換し、ＣＤ（コンパクトディスク）に記憶させたＤＶＤ（Ｄｉｊｉｔａｌ  Ｖｅｓａｔｉｌｅ  Ｄｉｓｋ）の普及が著しい。このＤＶＤ１は、図４に示したデータ記録エリア１ａのデータ記憶容量が大きく、従来の記憶媒体に比べてきわめて大きい容量のデータ記憶が可能であるため、映画などのように大容量となるソフトウェアを一枚のＣＤに格納することが可能となる。なお、１ｂはリードインエリアであり、１ｃはリードアウトエリアである。
【０００３】
ここで、ＤＶＤ１は映画を収録したＣＤであるとすると、ＤＶＤ１による映画の鑑賞をより良いものとするために、映画鑑賞に際し所望の映像シーンを頭出し選択するという場面選択操作（チャプター選択）が必要とされる。従来、このチャプター選択は、図５に例示したように、チャプター画面２であるメニュー画面を表示させ、このチャプター画面２に表示された静止画像や動画像のスチル写真３とスチル写真番号４ａとこれに伴なう場面表示部４ｂの選択部４を見て、必要な場面のスチル写真番号４ａを選択し（ボタン操作）てその番号に対応する場面の映像を読み出し再生させている。２ａはメインメニュー送りボタン、２ｂは送りボタン、２ｃは戻りボタンである。
【０００４】
【発明が解決しようとする課題】
ところで、このような従来のチャプター選択においては、チャプター画面であるメニュー画面において、１コマのスチル写真などにより読み出し再生を決定し指令する構成とされているため、大凡の見当をつけた選択でありもっぱらユーザーの感にたよる選択となるため、ユーザーが本当に望む映像シーンのチャプター選択をストレートにできないという問題があった。
【０００５】
例えば、初めてＤＶＤを鑑賞する場合には、ユーザーは大凡のストーリーしか判らないため、より詳しいストーリーに基づき所望の映像シーンを読み出し再生させることは不可能であった。また、鑑賞中に居眠りをしてしまい最後に記憶している場面から読み出し再生したい場合などには、その場面となるスチル写真と一緒に若干のストーリー説明があれば、より早く望む映像シーンのチャプター選択を行うことが可能となるが、従来の方法では不可能であった。
【０００６】
いずれにせよ、従来のチャプター選択は、ユーザーの感にたよる読み出し再生であると共に、早や送りや巻き戻しの操作を繰り返しながら望む映像シーンを読み出し再生させるというものであり、手間がかかり使い勝手の悪いものであった。
【０００７】
この発明は、上記のような事情に鑑みてなされたものであり、所望の映像シーンを読み出し再生させるに際し、従来のように早や送りや巻き戻しの操作を繰り返しながら行うのではなく、直接的に読み出し再生を行うことが可能な映像再生方法の提供を目的とする。
【０００８】
【課題を解決するための手段】
この発明は、上記のような目的を達成するために、請求項１記載のように、映画などを収録したＤＶＤなどのように映像データや音声データ，音楽データなど格納する記憶媒体より、ユーザーの所望する映像シーンを読み出し再生する映像再生方法において、一纏まりの細ストーリーの映像シーンをチャプター毎に通し番号を付して区分し、チャプター画面であるメニュー画面に、一纏まりのストーリーの映像シーン毎の要約文をその映像シーンを代表するスチル写真を付して表示し、鑑賞したい所望の映像シーンのアウトラインを要約文とスチル写真とでユーザーに理解せしめた上で選択可能とし、所望する映像シーンを直接的に読み出し再生可能に指令することを特徴とする。
【０００９】
【発明の実施の形態】
以下、この発明の実施例を図面に基づき詳細に説明する。図１は、この発明に係るＤＶＤのデータ記憶エリアの構造を示す概略説明図であり、図２は、チャプター画面の１例を示す説明図である。なお、従来と同一のものについては同一の符号により説明をする。
【００１０】
この発明に係るＤＶＤは、図４に示したものと同様であり、データ記録エリア１ａ，リードインエリア１ｂ，リードアウトエリア１ｃなどを有し、従来の記憶媒体に比べてきわめて大きい容量のデータ記憶が可能である。また、この実施例に係るＤＶＤは、映画の全ストーリーが「Ａ・・・Ｚ」の２６の細ストーリーより構成される。
【００１１】
したがって、このＤＶＤにおける映像データや音声データ，音楽データなどを伴う各細ストーリーは、データ記憶エリア１ａにおいて「Ａ」から「Ｚ」に対応して区分された各トラックに格納される。また、各区分においてはＡ（Ｔ１），Ｂ（Ｔ２），・・・，Ｙ（Ｔ２５），Ｚ（Ｔ２６）の通し番号が付される。また、例えばリードインエリア１ｂには、ＤＶＤのデータ格納時にチャプター画面１０であるメニュー画面が設定される。
【００１２】
そして、このチャプター画面１０は、図２に示した第１パターンと図３に示した第２パターンとがあるが、第１パターンにおいては、例えば細ストーリーＢの映像シーンの要約文１０ａが１０ａＢとされて表示されると共に、その映像シーンを代表するスチル写真１０ｂが１０ｂＢとされて表示される。すなわち、このダイジェスト映像又はスチル写真は、要約文である解説文と１００％リンクした画像又は文章とイメージ的に統一感を図れる画像が現される。１１はキーワードボタンであり、このボタンの操作により、求める映像シーンにジャンプする。
【００１３】
また、第２パターンにおいては、細ストーリーＢの映像シーンの要約文に該当するものとして、画面上に写っているシーンの解説文が文１０ａ（１０ａＢ）として表示されている。また、スチル写真１０ｂ（１０ｂＢ）では、ダイジェスト映像又はスチル写真が自動的に再現される。１２はジャンピングボタン、１３はメニュー戻りボタンである。
【００１４】
いずれにせよ、第１パターン，第２パターンは供にユーザーが映画の劇場用プログラムを観る感覚で利用できるようになされており、第１パターンは作品のあらすじを文章によって表現し、キーワードボタンの操作により見たい場面を選択できる。また、第２パターンは作品のあらすじをダイジェストの映像またはスチル写真で表現し、ユーザーはダイジェストの映像またはスチル写真が見たい場面になったらプレイヤーのリモコンのボタン操作により選択する。なお、チャプター画面は一番重要なエンディングまで入れないなどの工夫がなされる。
【００１５】
次に、図面に示した実施例によりその動作を説明する。このＤＶＤの起動時に、所望の細ストーリーＢの映像シーンを読み出し再生したい場合には、チャプター画面１０をメニュー選択し、各チャプター画面から所望のチャプター画面を選択する。例えば、チャプター画面１０Ｂの場合には、その要約文１０ａＢは、「カードウエルは、今日もトロンボーンを抱えて、フィラデルフィア交響楽団を指揮するストコフスキーの演奏会場に忍び込んだが、守衛に追い出された。丁度、演奏会が終わって、表は着飾った人達で賑わっており、カードウエルは自分ひとりだけが惨めに思えるのだった。」と説明され、また、その映像シーンを代表するスチル写真１０ｂＢが付されて表示されているので、読み出し再生したい映像シーンを明確に特定することができる。
【００１６】
そして、このチャプター画面１０Ｂを選択すると、データ記憶エリア１ａにおいてＢ（Ｔ２）のトラックが選択され、一纏まりの映像シーンＢが読み出し再生される。なお、この読み出し再生のための映像再生装置（ＤＶＤプレイヤー）は、従来の周知の映像再生装置により行うことができ、この発明の要旨とは直接関係しないので、その詳細な説明は省略をする。
【００１７】
このように、上記の実施例によれば、ＤＶＤである映像データや音声データ，音楽データなど格納する記憶媒体より、ユーザーの所望する映像シーンを読み出し再生するに際し、一纏まりのストーリーの映像シーンをチャプター毎に通し番号を付して区分し、チャプター画面であるメニュー画面に、一纏まりのストーリーの映像シーン毎の要約文をその映像シーンを代表するスチル写真を付して表示し、鑑賞したい所望の映像シーンのアウトラインを要約文とスチル写真とでユーザーに理解せしめた上で選択可能とし、所望する映像シーンを直接的に読み出し再生指令するように構成されているので、従来のように早や送りや巻き戻しの操作を繰り返しながら所望する映像シーンを読み出し再生するのではなく、直接的に読み出し再生を行うことが可能となる。
【００１８】
また、チャプター画面におけるスチル写真は，静止画像のみならず動画として表示させることもでき、また、必要に応じて音声データや音楽データを流しながら表示させることもできる。この場合には、一層臨場感をもって映像シーンの要約説明を行うことができる。
【００１９】
【発明の効果】
以上説明したように、この発明によれぱ、鑑賞したい所望の映像シーンを読み出し再生するに際し、映像シーンのアウトラインを要約文とスチル写真とで理解した上で選択可能とするので、従来のように早や送りや巻き戻しの操作を繰り返しながら所望する映像シーンを読み出し再生するのではなく、直接的に読み出し再生を行うことができる。
【図面の簡単な説明】
【図１】この発明に係るＤＶＤのデータ記憶エリアの構造を示す概略説明図である。
【図２】この発明に係るチャプター画面の第１パターン例を示す説明図である。
【図３】この発明に係るチャプター画面の第２パターン例を示す説明図である。
【図４】従来周知のＤＶＤの外観図である。
【図５】従来のチャプター画面の１例を示す説明図である。
【符号の説明】
１      ＤＶＤ
１０    チャプター画面
１０ａ  要約文
１０ｂ  スチル写真
【図１】
2004289761.tif 000003
【図２】
2004289761.tif 000004
【図３】
2004289761.tif 000005
【図４】
2004289761.tif 000006
【図５】
2004289761.tif 000007